(57)【要約】【課題】ノイズの重畳による誤動作を回避できるリンギング抑制回路を提供する。【解決手段】抑制動作禁止部１５が、伝送線路３に同相信号，ノイズが発生したことを検出すると、抑制期間制御部６によるリンギング抑制動作を禁止する。具体的には、抑制動作禁止部１５のＲＳフリップフロップ１４は、コンパレータ１０，１１により、同相信号のレベルが上限閾値又は下限閾値を超えたことが判定されると抑制期間制御部６に抑制動作禁止信号を出力する。その後、コンパレータ１２により同相信号のレベルが一定範囲内にあることが判定されると、抑制動作禁止信号の出力を停止する。【選択図】図１
2018033130.tif 000002
【特許請求の範囲】
【請求項１】
一対の高電位側信号線（３Ｈ），低電位側信号線（３Ｌ）によりハイ，ローの２値レベルに変化する差動信号を伝送する伝送線路（３）に接続され、前記信号の伝送に伴い発生するリンギングを抑制するリンギング抑制回路において、
前記一対の信号線間に接続される線間スイッチング素子（２４）と、
前記差動信号のレベルが変化したことを検出すると、前記線間スイッチング素子をオンさせて前記信号線間のインピーダンスを低下させるリンギング抑制動作を行う制御部（６）と、
前記伝送線路上の信号に起因して発生した信号を検出すると、前記制御部によるリンギング抑制動作を禁止する抑制動作禁止部（１５，３２，５５）とを備えるリンギング抑制回路。
【請求項２】
前記伝送線路上の信号に起因して発生した信号は、同相信号である請求項１記載のリンギング抑制回路。
【請求項３】
前記抑制動作禁止部（１５）は、前記同相信号のレベルが上限閾値を超えたことを判定する上限判定部（１０）と、
前記同相信号のレベルが下限閾値を下回ったことを判定する下限判定部（１１）と、
前記同相信号のレベルが一定範囲内にあることを判定する正常範囲判定部（１２）と、
前記同相信号のレベルが前記上限閾値を超えるか又は前記下限閾値を下回ると、前記制御部に抑制動作禁止信号を出力し、その後、前記正常範囲判定部により前記同相信号のレベルが一定範囲内にあることが判定されると、前記抑制動作禁止信号の出力を停止する信号出力部（１３，１４）とを備える請求項２記載のリンギング抑制回路。
【請求項４】
前記抑制動作禁止部（３２）は、前記高電位側信号線のレベルが変化する極性を判定する高電位側極性判定部（３３Ｈ）と、
前記低電位側信号線のレベルが変化する極性を判定する低電位側極性判定部（３３Ｌ）と、
前記高電位側，低電位側信号線のレベルの変化の絶対値が所定値よりも大きく、且つ双方のレベルが変化する極性が一致する期間に、前記制御部に抑制動作禁止信号を出力する信号出力部（３４）とを備える請求項１又は２記載のリンギング抑制回路。
【請求項５】
前記抑制動作禁止部（５５）は、前記高電位側信号線の電圧レベルが閾値を下回ったことを判定する高電位電圧レベル判定部（１１）と、
前記低電位側信号線の電圧レベルが閾値を超えたことを判定する低電位電圧レベル判定部（１０）と、
前記高電位側信号線の電圧レベルが閾値を下回るか、又は前記低電位側信号線の電圧レベルが閾値を超えた期間に、前記制御部に抑制動作禁止信号を出力する信号出力部（５３）とを備える請求項１記載のリンギング抑制回路。
【請求項６】
一対の高電位側信号，低電位側信号線によりハイ，ローの２値レベルに変化する差動信号が伝送される伝送線路において、前記差動信号のレベルが変化したことを検出すると前記信号線間のインピーダンスを低下させてリンギング抑制動作を行う際に、
前記伝送線路上の信号に起因して発生した信号を検出すると、前記リンギング抑制動作を禁止するリンギング抑制方法。
【請求項７】
前記伝送線路上の信号に起因して発生した信号は、同相信号である請求項６記載のリンギング抑制方法。
【請求項８】
前記同相信号のレベルが上限閾値を超えるか又は下限閾値を下回ると前記リンギング抑制動作を禁止し、その後、前記同相信号のレベルが一定範囲内にあることを判定すると、前記禁止を解除する請求項７記載のリンギング抑制方法。
【請求項９】
前記高電位側，低電位側信号線のレベルの変化の絶対値が所定値よりも大きく、且つ双方のレベルが変化する極性が一致する期間に、前記リンギング抑制動作を禁止する請求項６又は７記載のリンギング抑制方法。
【請求項１０】
前記高電位側信号線の電圧レベルが閾値を下回るか、又は前記低電位側信号線の電圧レベルが閾値を超えた期間に、前記リンギング抑制動作を禁止する請求項６記載のリンギング抑制方法。
【発明の詳細な説明】
【技術分野】
【０００１】
本発明は、一対の高電位側信号線，低電位側信号線により差動信号を伝送する伝送線路に接続され、前記信号の伝送に伴い発生するリンギングを抑制する回路及び方法に関する。
【背景技術】
【０００２】
伝送線路を介してデジタル信号を伝送する場合、受信側においては、信号レベルが変化するタイミングで信号エネルギーの一部が反射することで、オーバーシュートやアンダーシュートのような波形の歪み，すなわちリンギングが生じる問題がある。そして、従来、波形歪みを抑制する技術については様々な提案がされている。例えば特許文献１では、伝送路の電圧レベルがロー，ハイ間で遷移する際に、通信に影響しない一定期間のみインピーダンスを整合させてリンギングを抑制する技術が開示されている。
【先行技術文献】
【特許文献】
【０００３】
【特許文献１】特許第５４９８５２７号公報
【発明の概要】
【発明が解決しようとする課題】
【０００４】
しかしながら、特許文献１では図１６〜図１９に示すように、差動信号のハイレベル，例えば通信プロトコルがＣＡＮ（Controller Area Network，登録商標）である場合のドミナントが伝送されている期間にノイズが重畳されることで信号中にエッジが発生すると、それがローレベルへの変化として検知され、リンギングの抑制動作が行われる可能性がある。その結果、ネットワーク上に接続された１つ以上のノードでリンギング抑制動作が行われるとネットワークのインピーダンスが低下し、ドミナントの差動電圧が低下する。これにより、受信信号ＲｘＤがローレベル，例えばレセッシブと誤判定される期間がリンギング抑制技術を搭載していない従来の通信トランシーバよりも長くなり、当該ビットがレセッシブと誤判定される可能性が高まる。尚、図１８に示す信号ＲＳＣ＿ＯＮは、伝送線路のインピーダンスを低下させてリンギング抑制動作を行うためのスイッチング素子のオン信号である。また図１９中に破線で示すのは、リンギングの抑制機能が無い場合の受信信号ＲｘＤの波形である。
【０００５】
本発明は上記事情に鑑みてなされたものであり、その目的は、ノイズの重畳による誤動作を回避できるリンギング抑制回路及びリンギング抑制方法を提供することにある。
【課題を解決するための手段】
【０００６】
請求項１記載のリンギング抑制回路によれば、抑制動作禁止部が、伝送線路上の信号に起因して発生した信号を検出すると、制御部によるリンギング抑制動作を禁止する。すなわち、差動信号が伝送される伝送線路において重畳されるノイズは、伝送線路上の信号に起因して発生する。したがって、抑制動作禁止部が前記信号に起因して発生した信号を検出し、リンギング抑制動作を禁止することでノイズの重畳による誤動作を回避できる。
【０００７】
請求項３記載のリンギング抑制回路によれば、抑制動作禁止部の信号出力部は、上限判定部，下限判定部により、同相信号のレベルが上限閾値を超えたこと，又は下限閾値を下回ったことが判定されると制御部に抑制動作禁止信号を出力する。その後、正常範囲判定部により前記同相信号のレベルが一定範囲内にあることが判定されると、抑制動作禁止信号の出力を停止する。すなわち、差動信号が伝送される伝送線路において重畳されるノイズは同相信号として現れる。したがって、抑制動作禁止部が、伝送線路において一定レベルを超える同相信号が発生している期間に制御部に対して抑制動作禁止信号を出力することで、リンギング抑制動作を禁止できる。
【０００８】
請求項４記載のリンギング抑制回路によれば、抑制動作禁止部の信号出力部は、高電位側極性判定部，低電位側極性判定部により判定される、高電位側，低電位側信号線のレベルの変化の絶対値が所定値よりも大きく、且つ双方のレベルが変化する極性が一致する期間に、制御部に抑制動作禁止信号を出力する。伝送線路において同相信号が発生した際には、高電位側，低電位側信号線のレベルが変化する極性が同じになる。したがって、双方のレベル変化極性が一致する期間に制御部に対して抑制動作禁止信号を出力することで、リンギング抑制動作を禁止できる。
【０００９】
請求項５記載のリンギング抑制回路によれば、抑制動作禁止部の信号出力部は、高電位側信号線の電圧レベルが閾値を下回るか、又は前記低電位側信号線の電圧レベルが閾値を超えた期間に、制御部に抑制動作禁止信号を出力する。回路基板の状態によっては、ハイレベル側，ローレベル側の何れかに対し、大きなレベルのノイズが誘導される可能性がある。そこで、高電位側，低電位側信号線それぞれの電圧レベルが対応する閾値を下回るか又は閾値を超えた際にもノイズが重畳されたと判定することで、誤動作を回避できる。
【図面の簡単な説明】
【００１０】
【図１】第１実施形態であり、リンギング抑制回路の構成を示す機能ブロック図
【図２】リンギング抑制回路をより具体的に示す図
【図３】ノイズが重畳された場合の、高電位側信号線，低電位側信号線の波形を示す図
【図４】同差動信号の波形を示す図
【図５】同受信信号ＲｘＤの波形を示す図
【図６】同じく同相信号の波形を示す図
【図７】同じく同相範囲外信号の波形を示す図
【図８】同リセット信号の波形を示す図
【図９】同リンギング抑制停止信号の波形を示す図
【図１０】同ＲＳＣ＿ＯＮ信号の波形を示す図
【図１１】第２実施形態であり、リンギング抑制回路の構成を示す図
【図１２】ノイズが重畳された場合の微分信号波形を示す図
【図１３】同微分信号極性の波形を示す図
【図１４】同リンギング抑制停止信号の波形を示す図
【図１５】第３実施形態であり、リンギング抑制回路の構成を示す機能ブロック図
【図１６】従来技術において、ノイズが重畳された場合の、高電位側信号線，低電位側信号線の波形を示す図
【図１７】同差動信号の波形を示す図
【図１８】同ＲＳＣ＿ＯＮ信号の波形を示す図
【図１９】同受信信号ＲｘＤの波形を示す図
【発明を実施するための形態】
【００１１】
（第１実施形態）
以下、第１実施形態について説明する。図１に示すように、リンギング抑制回路１は、送受信回路２と共に、高電位側信号線３Ｈ，低電位側信号線３Ｌよりなる伝送線路３の間に並列に接続されている。尚、送受信回路２に替えて、送信回路又は受信回路でも良い。送受信回路２は、通信コントローラ４により制御され、伝送線路３を駆動して差動信号を送信し、また、伝送線路３を介して他の送信ノードより送信された差動信号を受信すると、受信データを通信コントローラ４に入力する。尚、通信プロトコルがＣＡＮである場合、高電位側信号線３ＨはＣＡＮ＿Ｈ，低電位側信号線３ＬはＣＡＮ＿Ｌである。
【００１２】
歪抑制開始検出部５は、差動信号が伝送される際に伝送線路３の電圧が変化したことを検出し、抑制期間制御部６に歪，リンギングの抑制動作を開始させるトリガ信号を与える。信号線３Ｈ，３Ｌの間には、抑制素子７及びスイッチ回路８の直列回路が接続されている。抑制期間制御部６は、上記のトリガ信号が入力されると、設定された抑制期間だけスイッチ回路８をオンして伝送線路３のインピーダンスを低下させる。
【００１３】
また、信号線３Ｈ，３Ｌの間には、抵抗素子９ａ及び９ｂの直列回路が接続されており、これらの共通接続点は、３つのコンパレータ１０〜１２の反転入力端子，非反転入力端子，入力端子ＩＮにそれぞれ接続されている。コンパレータ１０は、前記共通接続点の電位として検出される同相信号のレベルを上限閾値と比較し、コンパレータ１１は、前記同相信号のレベルを下限閾値と比較する。
【００１４】
伝送線路３には、高電位側信号線３Ｈと低電位側信号線３Ｌにより、ハイ、ローの２値レベルに変化する差動信号が伝送される。そして、高電位側信号線３Ｈと低電位側信号線３Ｌの値に起因して発生する信号として同相信号が得られる。この実施形態では、具体的には、ハイ、ローの２値レベルに応じて変化する高電位側信号線３Ｈと低電位側信号線３Ｌの略中間の信号値を同相信号とし、図１に示すように、高電位側信号線３Ｈと低電位側信号線３Ｌとの中間より同相信号を取り出す回路としている。
【００１５】
コンパレータ１２はウインドウコンパレータであり、前記同相信号のレベルが一定の範囲内（Ｌ≦ＩＮ≦Ｈ）にあれば、出力信号をハイレベルにする。例えば、ＣＡＮ通信の場合、上限閾値，下限閾値は±１２Ｖ程度に設定し、コンパレータ１２における一定の範囲内は−１２Ｖ〜１２Ｖ程度に設定する。コンパレータ１０〜１２はそれぞれ、上限判定部，下限判定部，正常範囲判定部に相当する。
【００１６】
コンパレータ１０及び１１の出力端子は、ＯＲゲート１３の入力端子にそれぞれ接続されており、ＯＲゲート１３の出力端子は、ＲＳフリップフロップ１４のセット端子Ｓに接続されている。コンパレータ１２の出力端子は、ＲＳフリップフロップ１４のリセット端子Ｒに接続されている。尚、リセット端子Ｒはポジティブエッジトリガである。ＲＳフリップフロップ１４の出力端子Ｑは、抑制期間制御部６の入力端子に接続されている。ＯＲゲート１３及びＲＳフリップフロップ１４は信号出力部に相当する。また、以上の構成において、コンパレータ１０〜ＲＳフリップフロップ１４は抑制動作禁止部１５に相当する。
【００１７】
より具体的な構成を示す図２において、４つのＮチャネルＭＯＳＦＥＴ２１〜２４の電位基準側導通端子であるソースは、何れも低電位側信号線３Ｌに接続されておりＦＥＴ２１及び２３の制御端子であるゲートは、高電位側信号線３Ｈに接続されている。
【００１８】
線間スイッチング素子であるＦＥＴ２４の非基準側導通端子であるドレインは高電位側信号線３Ｈに接続されており、ＦＥＴ２２及び２３のドレインはＦＥＴ２４のゲートに接続されていると共に、抵抗素子２５を介してハイレベル，すなわち電源レベル；Ｖccにプルアップされている。ＦＥＴ２１のドレインは、抵抗素子２６を介してハイレベルにプルアップされていると共に、抵抗素子２７を介してＦＥＴ２２のゲートに接続されている。ＦＥＴ２２のゲートは、コンデンサ２８を介して低電位側信号線３Ｌに接続されている。そして、ＦＥＴ２４のゲートと低電位側信号線３Ｌとの間には、ＮチャネルＭＯＳＦＥＴ２９が接続されており、ＦＥＴ２９のゲートは、ＲＳフリップフロップ１４の出力端子Ｑに接続されている。以上において、ＦＥＴ２４は図１に示す抑制素子７及びスイッチ回路８の直列回路に相当する。つまり、ＦＥＴ２４のオン抵抗が抑制素子７に相当している。また、ＦＥＴ２１は歪開始回路検出部５に相当し、その他は抑制期間制御部６に相当する。
【００１９】
送受信回路２は、電源と信号線３Ｈとの間に接続されるＰチャネルＭＯＳＦＥＴ４１，信号線３Ｌとグランドとの間に接続されるＮチャネルＭＯＳＦＥＴ４２を備えている。また、信号線３Ｈ，３Ｌの間には、抵抗素子４３ａ及び４３ｂの直列回路が接続されている。ＦＥＴ４１及び４２のゲートは、通信コントローラ４の出力端子に共通に接続されており、前記ゲートには、通信コントローラ４により送信データＴｘＤが出力される。また、信号線３Ｈ，３Ｌは、レシーバ４４の入力端子にそれぞれ接続されており、レシーバ４４は、通信コントローラ４に受信データＲｘＤを出力する。
【００２０】
次に、本実施形態の作用について説明する。図３に示すように、伝送線路３において、ハイレベルの差動信号，ＣＡＮにおけるレセッシブが伝送されている期間中に図１２と同様のノイズが重畳されると、送受信回路２に入力される差動信号は、図４に示すように、その重畳されている期間にローレベルとなる。送受信回路２が出力する受信信号ＲｘＤは、図５に示すように差動信号の反転となる。
【００２１】
この時、コンパレータ１０〜１２に入力される同相信号は、図６に示すようにノイズレベルに相当したレベルとなり、コンパレータ１０の出力信号がハイレベルとなることで、図７に示すようにハイレベルの同相範囲外信号が出力される。尚、これらの信号変化におけるノイズが消滅した以降の波形には、後述する抑制動作禁止部１５の動作が反映されている。
【００２２】
同相範囲外信号によりＲＳフリップフロップ１４がセットされ、図９に示すようにリンギング抑制停止信号が出力される。すると、ＦＥＴ２９がオンしてＦＥＴ２４のゲートを強制的にローレベルにするのでＦＥＴ２４はオフ状態を維持し、リンギング抑制動作が禁止される。リンギング抑制停止信号は、抑制動作禁止信号に相当する。
【００２３】
また、コンパレータ１２がＲＳフリップフロップ１４に与えるリセット信号は、図８に示すようにノイズの重畳期間に対応してローレベルとなり、ノイズの消滅に伴いハイレベルに変化する。このレベル変化に伴うリセット信号の立上りエッジでＲＳフリップフロップ１４がリセットされるので、ＦＥＴ２９がオフになりリンギング抑制動作の禁止状態が解除される。
【００２４】
そして、その後に到来する差動信号のローレベル，ＣＡＮにおけるレセッシブへの変化に伴い、図１０に示すように、ＦＥＴ２４のゲートにオン信号ＲＳＣ＿ＯＮが出力されてＦＥＴ２４がオン状態になり、リンギング抑制動作が実行される。このようなリンギング抑制動作の禁止→解除に至る動作の結果として、当該期間に対応する差動信号，受信信号ＲｘＤ及び同相信号の波形は、図３に示すものとなっている。
【００２５】
以上のように本実施形態によれば、抑制動作禁止部１５が、伝送線路３に同相信号，ノイズが発生したことを検出すると、抑制期間制御部６によるリンギング抑制動作を禁止する。すなわち、伝送線路３において重畳されるノイズは同相信号として現れるので、抑制動作禁止部１５が同相信号の発生をノイズとして検出し、リンギング抑制動作を禁止することでノイズの重畳による誤動作を回避できる。
【００２６】
具体的には、抑制動作禁止部１５のＲＳフリップフロップ１４は、コンパレータ１０，１１により、同相信号のレベルが上限閾値を超えたこと，又は下限閾値を下回ったことが判定されると抑制期間制御部６にリンギング抑制停止信号を出力する。その後、コンパレータ１２により同相信号のレベルが一定範囲内にあることが判定されると、リンギング抑制停止信号の出力を停止する。このように構成すれば、伝送線路３において一定レベルを超える同相信号が発生している期間にリンギング抑制動作を禁止できる。
【００２７】
（第２実施形態）
以下、第１実施形態と同一部分には同一符号を附して説明を省略し、異なる部分について説明する。図１１に示すように、第２実施形態のリンギング抑制回路３１は、抑制動作禁止部１５に替わる抑制動作禁止部３２を備えている。抑制動作禁止部３２は、微分回路３３Ｈ，３３Ｌと、ＥＸＮＯＲゲート３４とで構成されている。微分回路３３は、コンデンサ３５及び抵抗素子３６の直列回路と、オペアンプ３７とで構成されている。
【００２８】
微分回路３３Ｈ，３３Ｌを構成するコンデンサ３５の一端は、それぞれ高電位側信号線３Ｈ，低電位側信号線３Ｌに接続されている。コンデンサ３５及び抵抗素子３６の共通接続点はオペアンプ３７の非反転入力端子に接続されている。微分回路３３Ｈ側のオペアンプ３７の反転入力端子は、電源とグランドとの間に接続される抵抗３８ａ及び３８ｂの直列回路の共通接続点に接続されている。また、微分回路３３Ｌ側のオペアンプ３７の反転入力端子は、同様な抵抗３９ａ及び３９ｂからなる直列回路の共通接続点に接続されている。
【００２９】
上記の抵抗３８ａ及び３８ｂ，並びに抵抗３９ａ及び３９ｂにより、微分回路３３Ｈ，３３Ｌに与える閾値に差を設けている。例えば、微分回路３３Ｈ側の閾値を０．１Ｖ，微分回路３３Ｈ側の閾値を０Ｖに設定する。これにより、信号線３Ｈ，３Ｌのレベルが変化せずそれぞれの微分値がゼロとなる場合に、微分回路３３Ｈ，３３Ｌの出力レベル値が異なるようにしている。オペアンプ３７の出力端子はＥＸＮＯＲゲート３４の入力端子に接続され、ＥＸＮＯＲゲート３４の出力端子はＦＥＴ２９のゲートに接続されている。微分回路３３Ｈ，３３Ｌは、それぞれ高電位側極性判定部，低電位側極性判定部に相当し、ＥＸＮＯＲゲート３４は信号出力部に相当する。
【００３０】
次に、第２実施形態の作用について説明する。ノイズは伝送線路３に対する同相信号として現れるので、その信号変化に応じて信号線３Ｈ，３Ｌにつき検出される微分信号の極性は一致する。したがって、双方の極性の一致をＥＸＮＯＲゲート３４により検出してＦＥＴ２９のゲートにリンギング抑制停止信号を出力することで、第１実施形態と同様に、ノイズの発生に伴いリンギング抑制動作を禁止できる。
【００３１】
図１２〜図１４は、第１実施形態の図３及び図４と同様のノイズが重畳された場合の、微分信号及びその極性，リンギング抑制停止信号の波形である。信号線３Ｈ，３Ｌの微分信号の値が所定値以上で、且つ双方の信号極性が一致している期間にリンギング抑制停止信号が出力される。
【００３２】
以上のように第２実施形態によれば、抑制動作禁止部３２のＥＸＮＯＲゲート３４は、微分回路３３Ｈ，３３Ｌにより判定される信号線３Ｈ，３Ｌのレベル変化極性が一致する期間に、抑制期間制御部６にリンギング抑制停止信号を出力する。これにより、第１実施形態と同様にリンギング抑制動作を禁止できる。
【００３３】
（第３実施形態）
図１５に示すように、第３実施形態のリンギング抑制回路５１は、第１実施形態のリンギング抑制回路１よりコンパレータ１２を削除し、ＯＲゲート１３に替えてＥＸＯＲゲート５２を配置し、ＲＳフリップフロップ１４に替えてＡＮＤゲート５３を配置し、ドミナント検知部５４を追加したものである。また、コンパレータ１０の非反転入力端子は信号線３Ｌに接続され、コンパレータ１１の反転入力端子は信号線３Ｈに接続されている。これらは、抑制動作禁止部５５に相当する。
【００３４】
ＥＸＯＲゲート５２の出力端子は、ＡＮＤゲート５３の入力端子の一方に接続されている。ドミナント検知部５４は、送受信回路２を介して伝送線路３にドミナント信号が発生したことを検知すると、ハイレベル信号をＡＮＤゲート５３の入力端子の他方に出力する。そして、ＡＮＤゲート５３は信号出力部に相当し、抑制期間制御部６に抑制動作停止信号を出力する。
【００３５】
次に、第３実施形態の作用について説明する。第３実施形態では、回路基板におけるアートワークやツイストペア線，コネクタのピン配置等の状態により、ハイレベル側，ローレベル側の何れかに大きなレベルのノイズが誘導される可能性がある。そこで、コンパレータ１１により信号線３Ｈの電圧レベルが閾値を下回った状態を検出し、コンパレータ１０により信号線３Ｌの電圧レベルが閾値を超えた状態を検出することで、それぞれがハイレベル信号を出力する。
【００３６】
そして、コンパレータ１０又は１１がハイレベル信号を出力し、且つドミナント検知部５４がドミナント信号の発生を検知している期間に、ＡＮＤゲート５３が抑制期間制御部６に抑制動作停止信号を出力する。これにより、ノイズに基づいて発生するエッジであるグリッジを検出し、リンギング抑制動作を禁止する。
【００３７】
以上のように第３実施形態によれば、信号線３Ｈの電圧レベルが閾値を下回った状態を検出するか、又は信号線３Ｌの電圧レベルが閾値を超えた状態を検出した期間にリンギング抑制動作を禁止するので、信号線３Ｈ，３Ｌの一方側に大きなノイズが作用した場合にも誤動作を抑制できる。
【００３８】
（その他の実施形態）
各電圧の具体的数値は、個別の設計に応じて適宜変更すれば良い。
リンギング抑制停止信号を送受信回路２に入力し、受信信号ＲｘＤのレベル判定に利用しても良い。
通信プロトコルはＣＡＮに限らず、差動信号を用いるものであれば適用が可能である。
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００３９】
図面中、１はリンギング抑制回路、３は伝送線路、３Ｈは高電位側信号線、３Ｌは低電位側信号線、６は抑制期間制御部、１０〜１２はコンパレータ、１３はＯＲゲート、１４はＲＳフリップフロップを示す。
【図１】
2018033130.tif 000003
【図２】
2018033130.tif 000004
【図３】
2018033130.tif 000005
【図４】
2018033130.tif 000006
【図５】
2018033130.tif 000007
【図６】
2018033130.tif 000008
【図７】
2018033130.tif 000009
【図８】
2018033130.tif 000010
【図９】
2018033130.tif 000011
【図１０】
2018033130.tif 000012
【図１１】
2018033130.tif 000013
【図１２】
2018033130.tif 000014
【図１３】
2018033130.tif 000015
【図１４】
2018033130.tif 000016
【図１５】
2018033130.tif 000017
【図１６】
2018033130.tif 000018
【図１７】
2018033130.tif 000019
【図１８】
2018033130.tif 000020
【図１９】
2018033130.tif 000021